(57)【要約】【課題】  車速が極低速度の場合や車輪速度センサからセンサリングまでの距離が所定間隔以上に空いた場合に、路面状態を誤判定してしまわない路面状態検出装置を提供する。【解決手段】  車輪速度の変動幅がしきい値以下である場合にのみ、正しく車輪速度を検出することが可能であるとして、そのときの速度域を記憶しておき、その速度域に車輪速度が達したときに初めて路面状態判定を行う。このようにすれば、統合ＥＣＵで正確な車輪速度演算が行える場合にのみ、正しい車輪速度に基づいて路面状態判定が行われる。したがって、統合ＥＣＵで路面状態が良路であるにもかかわらず悪路であると誤判定してしまうことを防止できる。これにより、車速が極低速度の場合や車輪速度センサからセンサリングまでの距離が所定間隔以上に空いた場合に、路面状態を誤判定してしまわない路面状態検出装置とすることができる。【選択図】        図３
2007030692.tif 000002
【特許請求の範囲】
【請求項１】
車輪速度センサ（１ＦＬ〜１ＲＲ）からのパルス信号の検出信号に基づいて車輪速度を検出する車輪速度検出手段（１００）と、
前記車輪速度検出手段（１００）が検出した車輪速度に基づいて路面状態を判定する路面状態判定手段（２２０）と、
正しい車輪速度が求められる速度域を設定する速度域設定手段（１１０〜１４０）と、
前記車輪速度検出手段（１００）で検出した前記車輪速度が前記速度域設定手段（１１０〜１４０）で設定された前記速度域であるか否かを判定し、前記速度域でない場合には前記路面状態判定手段（２２０）による路面状態の判定を実行させず、前記速度域である場合に前記路面状態判定手段（２２０）による路面状態の判定を実行させる路面状態判定実行手段（２１０）と、を有して構成されることを特徴とする路面状態判定装置。
【請求項２】
前記速度域設定手段（１１０〜１４０）は、前記車輪速度検出手段（１００）が検出した前記車輪速度の所定時間毎の変動幅を求めると共に、該変動幅がしきい値以下であるか否かを判定する変動幅判定手段（１１０）を有し、前記変動幅判定手段（１１０）によって前記変動幅が前記しきい値以下であると判定された場合の前記車輪速度を前記速度域として設定することを特徴とする請求項１に記載の路面状態判定装置。
【請求項３】
前記速度域設定手段（１１０〜１４０）は、前記パルス信号のパルス数を積算した積算パルス数が所定パルス数分となる間、前記変動幅判定手段（１１０）によって前記変動幅が前記しきい値以下であると判定された場合に、そのときの前記車輪速度を前記速度域として設定することを特徴とする請求項２に記載の路面状態判定装置。
【請求項４】
前記路面状態判定実行手段（２１０）によって前記速度域でないと判定された場合に、悪路と判定することを禁止して良路であると判定する悪路判定禁止手段（２４０）を有していることを特徴とする請求項１ないし３のいずれか１つに記載の路面状態判定装置。
【請求項５】
前記路面状態判定実行手段（２１０）によって前記速度域でないと判定された場合に、前記路面状態判定手段（２２０）で前回判定された路面状態の判定結果を保持することを特徴とする請求項１ないし３のいずれか１つに記載の路面状態判定装置。
【請求項６】
前記路面状態判定実行手段（２１０）によって前記速度域でないと判定された場合に、悪路と判定することを禁止して良路であると判定する悪路判定禁止手段（２４０）と、
前記路面状態判定実行手段（２１０）によって前記速度域でないと判定された場合に、以前に前記速度域であると判定された履歴があるか否かを判定する履歴判定手段（２５０）と、を有し、
前記履歴判定手段（２５０）にて、履歴がないと判定された場合には、前記悪路判定禁止手段（２４０）により、良路であると判定し、履歴があると判定された場合には、前記路面状態判定手段（２２０）で以前判定された路面状態の判定結果を保持することを特徴とする請求項１ないし３のいずれか１つに記載の路面状態判定装置。
【発明の詳細な説明】
【技術分野】
【０００１】
本発明は、車輪速度センサの検出信号に基づいて路面状態の判定を行う路面状態判定装置に関するものである。
【背景技術】
【０００２】
従来、特許文献１において、車輪速度センサの検出信号に基づいて車輪速度の加減速度を求め、この加減速度の設定時間内の状態に基づいて、具体的には設定時間内に求められた加減速度が設定加速度以上もしくは設定減速度以下の値を繰り返す場合に、路面状態が悪路であると判定し、悪路用と通常用とでＡＢＳ制御の切り替えを行うＡＢＳ制御装置が提案されている。
【特許文献１】特開平１１−７８８４０号公報
【発明の開示】
【発明が解決しようとする課題】
【０００３】
図８は、車輪速度センサＪ１の車体に取り付けたときの様子を示した模式図である。この図に示されるように、車輪速度センサＪ１は、所定数の歯が形成されたセンサリング（ロータ）Ｊ２から所定間隔空けた位置、つまりセンサリングＪ２から所定のエアギャップが形成されるように配置され、外周部に備えられるスプリングスペーサＪ３にて車体に固定される。
【０００４】
そして、センサリングＪ２の回転に伴ってセンサリングＪ２に形成された歯部の山と谷が入れ替わると、車輪速度センサＪ１は、その入れ替わりに応じたパルス信号をセンサ出力として発生する。このため、車輪速度センサＪ１からのセンサ出力を受け取った図示しないＥＣＵは、所定期間内に受け取ったパルス信号の数から車輪速度の演算を行う。
【０００５】
このとき、車輪速度センサＪ１のセンサ出力は、車輪速度センサＪ１とセンサリングＪ２の間のエアギャップが所定間隔とされているため、所望の大きさの出力となり、ＥＣＵにセンサ出力が的確に入力される。
【０００６】
しかしながら、車速が極低速度の場合や車輪速度センサＪ１とセンサリングＪ２の間が所定間隔以上に空いた場合には、センサ出力が期待する大きさよりも低くなり、ＥＣＵがパルス信号を取りこぼしてしまうことがある。このようなパルス信号の取りこぼしが発生すると、ＥＣＵで正確な車輪速度演算が行えなくなり、ＥＣＵで路面状態が良路であるにもかかわらず悪路であると誤判定してしまうことがある。
【０００７】
本発明は上記点に鑑みて、車速が極低速度の場合や車輪速度センサからセンサリングまでの距離が所定間隔以上に空いた場合に、路面状態を誤判定してしまわない路面状態検出装置を提供することを目的とする。
【課題を解決するための手段】
【０００８】
上記目的を達成するため、請求項１に記載の発明では、車輪速度検出手段（１００）によって車輪速度センサ（１ＦＬ〜１ＲＲ）からのパルス信号の検出信号に基づいて車輪速度を検出し、検出した車輪速度に基づいて路面状態判定手段（２２０）で路面状態を判定する路面状態判定装置において、正しい車輪速度が求められる速度域を設定する速度域設定手段（１１０〜１４０）と、車輪速度検出手段（１００）で検出した車輪速度が速度域設定手段（１１０〜１４０）で設定された速度域であるか否かを判定し、速度域でない場合には路面状態判定手段（２２０）による路面状態の判定を実行させず、速度域である場合に路面状態判定手段（２２０）による路面状態の判定を実行させる路面状態判定実行手段（２１０）と、を備えることを特徴としている。
【０００９】
このように、正確な車輪速度演算が行える場合にのみ、正しい車輪速度に基づいて路面状態判定を行うようにしている。したがって、路面状態が良路であるにもかかわらず悪路であると誤判定されることを防止できる。これにより、車速が極低速度の場合や車輪速度センサ（１ＦＬ〜１ＲＲ）からセンサリングまでの距離が所定間隔以上に空いた場合に、路面状態を誤判定してしまわない路面状態検出装置とすることができる。
【００１０】
例えば、請求項２に示されるように、速度域設定手段（１１０〜１４０）に変動幅判定手段（１１０）を備え、これによって車輪速度検出手段（１００）が検出した車輪速度の所定時間毎の変動幅を求め、該変動幅がしきい値以下であると判定した場合の車輪速度を正しい車輪速度が求められる速度域として設定することができる。
【００１１】
この場合、請求項３に示されるように、速度域設定手段（１１０〜１４０）は、パルス信号のパルス数を積算した積算パルス数が所定パルス数分となる間、変動幅判定手段（１１０）によって変動幅がしきい値以下であると判定された場合に、そのときの車輪速度を正しい車輪速度が求められる速度域として設定すると好ましい。
【００１２】
請求項４に記載の発明では、路面状態判定実行手段（２１０）によって速度域でないと判定された場合に、悪路判定禁止手段（２４０）にて悪路と判定することを禁止して良路であると判定することを特徴としている。
【００１３】
このように、速度域でないと判定された場合に良路と断定することで、良路であるにもかかわらず悪路であると判定されることを防止することができる。
【００１４】
請求項５に記載の発明では、路面状態判定実行手段（２１０）によって速度域でないと判定された場合に、路面状態判定手段（２２０）で前回判定された路面状態の判定結果を保持することを特徴としている。
【００１５】
このように、前回の路面状態の判定結果がある場合には、一般的に路面状態が急変し難いことから、前回得た判定結果を保持することで、ほぼ正確な路面状態を求めることが可能となる。
【００１６】
請求項６に記載の発明は、履歴判定手段（２５０）にて、路面状態判定実行手段（２１０）によって速度域でないと判定された場合に、以前に速度域であると判定された履歴があるか否かを判定し、履歴がないと判定された場合には、悪路判定禁止手段（２４０）により、良路であると判定し、履歴があると判定された場合には、路面状態判定手段（２２０）で以前判定された路面状態の判定結果を保持することを特徴としている。
【００１７】
このように、速度域であると判定された履歴があるか否かに応じて、請求項４に記載の発明と請求項５に記載の発明とを切替えて適用することも可能である。
【００１８】
なお、上記各手段の括弧内の符号は、後述する実施形態に記載の具体的手段との対応関係を示すものである。
【発明を実施するための最良の形態】
【００１９】
以下、本発明の実施形態について図に基づいて説明する。なお、以下の各実施形態相互において、互いに同一もしくは均等である部分には、図中、同一符号を付してある。
【００２０】
（第１実施形態）
図１は、本発明の一実施形態が適用された路面状態判定装置が備えられる車両走行制御装置のブロック構成を示したものである。以下、この図を参照して車両走行制御装置の構成について説明する。
【００２１】
車両走行制御装置は、車輪速度センサ１ＦＬ、１ＦＲ、１ＲＬ、１ＲＲ、統合ＥＣＵ２、ブレーキ装置３ＦＬ、３ＦＲ、３ＲＬ、３ＲＲを備えている。
【００２２】
車輪速度センサ１ＦＬ〜１ＲＲは、各車輪４ＦＬ、４ＦＲ、４ＲＬ、４ＲＲそれぞれに備えられており、センサリングから所定間隔のエアギャップを設けた位置に例えばスプリングスペーサを介して保持されている。車輪速度センサ１ＦＬ〜１ＲＲには、電磁ピックアップ式など周知の構造のものが用いられている。
【００２３】
この車輪速度センサ１ＦＬ〜１ＲＲは、各車輪４ＦＬ〜４ＲＲの回転に伴うセンサリングの回転により、センサリングに形成された歯部の山や谷が入れ替わると、車輪速度センサ１ＦＬ〜１ＲＲがその入れ替わりに応じたパルス信号をセンサ出力として発生する。
【００２４】
統合ＥＣＵ２は、ＣＰＵ、ＲＯＭ、ＲＡＭ、Ｉ／Ｏなどを備えた周知のマイクロコンピュータによって構成され、ＲＯＭなどに記憶されたプログラムにしたがって、ＡＢＳ制御やトラクション制御など、車両走行に関わる制御を実行するものである。この統合ＥＣＵ２が本発明における路面状態判定装置を構成するものである。
【００２５】
具体的には、統合ＥＣＵ２は、車輪速度センサ１ＦＬ〜１ＲＲが発生させるパルス信号のセンサ出力を受け取り、予め記憶してある規定時間内に入力されたパルス信号の数から各車輪４ＦＬ〜４ＲＲの車輪速度を求める。
【００２６】
さらに、統合ＥＣＵ２は、必要に応じて求められた各車輪４ＦＬ〜４ＲＲの車輪速度を利用して車体速度の演算などを行うと共に、車体速度と各車輪４ＦＬ〜４ＲＲの車輪速度との偏差からスリップ率を求める。これに基づいて、統合ＥＣＵ２にて、スリップ率がトラクション制御開始条件となる所定のしきい値を超えるか否かの判定を行うことでトラクション制御を実行したり、スリップ率がＡＢＳ制御開始条件となる所定のしきい値を超えるか否かの判定を行うことでＡＢＳ制御を実行したりする。そして、トラクション制御やＡＢＳ制御の実行時には、統合ＥＣＵ２からブレーキ装置３ＦＬ〜３ＲＲに向けて制御信号を出力することで、ブレーキ装置３ＦＬ〜３ＲＲの制動力を調整する。
【００２７】
ブレーキ装置３ＦＬ〜３ＲＲは、各車輪４ＦＬ〜４ＲＲそれぞれの制動力を調整するもので、ディスクロータ５ＦＬ、５ＦＲ、５ＲＬ、５ＲＲやそれを挟むように配置されたキャリパ６ＦＬ、６ＦＲ、６ＲＬ、６ＲＲなどを備えている。各ブレーキ装置３ＦＬは、統合ＥＣＵ２からの制御信号に基づき、キャリパ６ＦＬ〜６ＲＲ内に備えられた図示しない電動モータを駆動することで、キャリパ６ＦＬ〜６ＲＲに保持された図示しない摩擦材をディスクロータ５ＦＬ〜５ＲＲに押し付ける。この摩擦材のディスクロータ５ＦＬ〜５ＲＲへの押し付け力の大きさに応じた摩擦力でディスクロータ５ＦＬ〜５ＲＲの回転力が抑制され、その結果、各車輪４ＦＬ〜４ＲＲに制動力が発生する。
【００２８】
次に、上記のように構成された車両走行制御装置によって実行される車輪速度測定処理および路面状態判定処理について説明する。
【００２９】
車輪速度確定処理および路面状態判定処理は統合ＥＣＵ２で実行されるもので、統合ＥＣＵ２は、車輪速度センサ１ＦＬ〜１ＲＲから検出信号を受け取ると、予め記憶されたプログラムに基づき、所定の演算周期毎（例えば６ｍｓもしくは８ｍｓ毎）にこれら各処理を実行する。
【００３０】
図２は、車輪速度確定処理のフローチャートを示したものである。まず、この図を参照して車輪速度確定処理について説明する。
【００３１】
車輪速度確定処理は、正しく車輪速度を計算できると考えられる車輪速度の速度域を確定するための処理である。統合ＥＣＵ２は、この車輪速度確定処理を各車輪４ＦＬ〜４ＲＲそれぞれに対して順番に実行する。
【００３２】
まず、ステップ１００では、車輪速度計算処理を実行する。統合ＥＣＵ２のうち、この処理を実行する部分が車輪速度検出手段を構成する。具体的には、統合ＥＣＵ２は、各車輪速度センサ１ＦＬ〜１ＲＲから送られるパルス信号の検出信号を受け取ると、予め記憶された規定時間内におけるパルス信号の数（パルス数）を求め、この数が車輪４ＦＬ〜４ＲＲの何回転分に相当するかを求めることで速度換算を行い、車輪速度を求めている。
【００３３】
次に、ステップ１１０では、車輪速度の変動幅がしきい値以下であるか否かを判定する。統合ＥＣＵ２のうち、この処理を実行する部分が変動幅判定手段を構成する。
【００３４】
ここでいう変動幅のしきい値は、車輪速度センサ１ＦＬ〜１ＲＲの検出信号として通常得られる変動幅を超える値、つまり正常な検出信号が出力されているときには想定できない変動幅として定義されるもので、予め統合ＥＣＵ２に記憶されている。このステップで肯定判定された場合には、車輪速度センサ１ＦＬ〜１ＲＲの検出信号が正常であると想定され、ステップ１２０に進み、否定判定された場合には、車輪速度センサ１ＦＬ〜１ＲＲの検出信号が正常ではないと想定され、ステップ１５０に進む。
【００３５】
ステップ１２０では、入力パルス数の積算を行う。すなわち、車輪速度センサ１ＦＬ〜１ＲＲから送られるパルス信号の検出信号のパルス数を加算し、その積算パルス数を記憶する。このとき、既に前の演算周期などにおいて車輪速度確定処理が実行されており、かつ、このステップ１２０で入力パルス数の積算が行われていた場合には、そのときに既に記憶されていた積算パルス数に対して今回の演算周期のときのパルス数を加算する。
【００３６】
続いて、ステップ１３０に進み、積算パルス数がしきい値以上であるか否かを判定する。ここでいう積算パルス数のしきい値とは、車輪速度センサ１ＦＬ〜１ＲＲの検出信号が車輪４ＦＬ〜４ＲＲの所定回転数分（例えば１回転分）に相当する所定パルス数が集まったことを意味している。つまり、ステップ１１０で単発的に肯定判定されただけでは、車輪速度センサ１ＦＬ〜１ＲＲの検出信号が正常であると断定できないが、ステップ１１０で連続して肯定判定され、積算パルス数がしきい値を超えるような場合には、車輪速度センサ１ＦＬ〜１ＲＲの検出信号が正常であると言える。
【００３７】
このため、積算パルス数がしきい値以上となるまで上記各処理を繰り返し、積算パルス数がしきい値以上となったときにステップ１４０に進み、そのときに得られた車輪速度の速度域を正しく車輪速度を計算できる速度域として確定する。
【００３８】
なお、ここで説明したステップ１１０〜１４０の処理は、正しい車輪速度が求められる速度域を設定するためのものであり、統合ＥＣＵ２のうち、これら各処理を実行する部分が速度域設定手段を構成している。
【００３９】
一方、積算パルス数がしきい値以上となるまでの間に、一度でもステップ１１０で車輪速度の変動幅がしきい値を超えれば、ステップ１５０にて、積算パルス数をリセットし、正しく車輪速度を計算できる速度域に達していないものとする。
【００４０】
このようにして、車輪速度確定処理が実行され、正しく車輪速度を計算できる速度域が確定される。
【００４１】
続いて、図３に路面状態判定処理のフローチャートを示し、この図を参照して路面状態判定処理について説明する。
【００４２】
路面状態判定処理は、各車輪４ＦＬ〜４ＲＲが走行中の路面の状態（路面状態）を判定するための処理である。具体的には、良路であるか悪路であるかを判定する悪路判定を行い、ＡＢＳ制御やトラクション制御が路面状態に応じた適切な制御形態となるように、判定結果に基づいて制御形態の切り替えを行う。統合ＥＣＵ２は、この路面状態判定処理を各車輪４ＦＬ〜４ＲＲそれぞれに対して順番に実行する。
【００４３】
まず、ステップ２００では、正しく車輪速度を計算できる速度域を検出する。この処理は、上述した図２に示されるステップ１４０で確定された速度域を読み込むことで行われる。
【００４４】
次に、ステップ２１０に進み、現在求められた車輪速度がステップ２００で検出した正しく車輪速度を計算できる速度域か否かを判定する。統合ＥＣＵ２のうち、この処理を実行する部分が路面状態判定実行手段を構成する。なお、現在求められた車輪速度とは、図２のステップ１００で求められた車輪速度を意味している。
【００４５】
このとき、正しく車輪速度を計算できる速度域であると判定した場合には、悪路判定を正確に行うことが可能であるものとして、ステップ２２０に進み、悪路判定処理を行う。統合ＥＣＵ２のうち、この処理を実行する部分が路面状態判定手段を構成する。
【００４６】
悪路判定処理は、車輪４ＦＬ〜４ＲＲが走行中の路面が良路であるか悪路であるかを判定する処理である。例えば、車輪速度センサ１ＦＬ〜１ＲＲの検出信号に基づいて車輪速度の加減速度を求め、この加減速度の設定時間内の状態、具体的には設定時間内に求められた加減速度が設定加速度以上もしくは設定減速度以下の値を繰り返す場合に、路面状態が悪路であると判定することができる。なお、悪路判定処理の具体的な手法に関しては、従来より提案されているため説明を省略するが、いずれの手法を用いて悪路判定を行っても良い。
【００４７】
そして、ステップ２２０で悪路判定が行うと、その結果、つまり良路であるか悪路であるかという結果が得られる。このため、ステップ２３０にて、その判定結果に応じて、ＡＢＳ制御やトラクション制御の制御形態をどのように切り替えるかを決める制御処理を実行する。このようにして各種制御の制御形態をどのように切り替えるかが決まると、ＡＢＳ制御やトラクション制御を実行する際に、各制御の制御形態の切り替えを行った上で各種制御を実行することになり、それに応じた制御信号が統合ＥＣＵ２から出力される。
【００４８】
一方、ステップ２１０で否定判定されれば、まだ正しく車輪速度を計算できる速度域に達していないとして、ステップ２４０に進む。この場合には、悪路判定禁止処理、つまり悪路判定を行わずに、良路であると一義的に決める処理が行われる。統合ＥＣＵ２のうち、この処理を実行する部分が悪路判定禁止手段を構成する。
【００４９】
この後、ステップ２３０に進み、良路という結果に応じて、ＡＢＳ制御やトラクション制御の制御形態を制御処理を実行する。これにより、ＡＢＳ制御やトラクション制御を実行する際には、良路であることを前提とした制御形態で各種制御を実行することになり、それに応じた制御信号が統合ＥＣＵ２から出力される。
【００５０】
このように、統合ＥＣＵ２から制御形態に応じた制御信号を出力することで、キャリパ６ＦＬ〜６ＲＲ内の電動モータを制御し、キャリパ６ＦＬ〜６ＲＲに保持された摩擦材をディスクロータ５ＦＬ〜５ＲＲに押し付ける力を制御できるため、各車輪４ＦＬ〜４ＲＲの制動力を制御形態に応じた値に調整できる。
【００５１】
以上のように、本実施形態では、正しい車輪速度が求められる速度域を求め、求められた車輪速度がこの速度域に達していない場合には、路面状態判定処理（悪路判定処理）を行わないようにしている。
【００５２】
このため、例えば、車輪４ＦＬ〜４ＲＲのいずれかに対応する車輪速度センサ１ＦＬ〜１ＲＲがセンサリングから所望のエアギャップ以上の距離離れた位置に設置された場合、センサ出力が期待する大きさよりも低くなり、統合ＥＣＵ２がパルス信号を取りこぼしてしまうことがある。このようなパルス信号の取りこぼしが発生すると、統合ＥＣＵ２で正確な車輪速度演算が行えなくなり、統合ＥＣＵ２で路面状態が良路であるにもかかわらず悪路であると誤判定してしまうことがある。
【００５３】
車輪速度センサ１ＦＬ〜１ＲＲは、スプリングスペーサにて車体に取り付けられることになるが、基本的にスプリングスペーサによって車輪速度センサ１ＦＬ〜１ＲＲの軸方向の垂直方向に対する移動を規制することができるものの、軸方向への移動を規制できない。このため、車輪４ＦＬ〜４ＲＲの取替えの際などに、車輪速度センサ１ＦＬ〜１ＲＲが奥側に移動し、上記のように、車輪速度センサ１ＦＬ〜１ＲＲとセンサリングの間が所定間隔以上に空いてしまうことがある。
【００５４】
図４、図５は、それぞれ、４つの車輪４ＦＬ〜４ＲＲのいずれかに対応する車輪速度センサ１ＦＬ〜１ＲＲとセンサリングの間のエアギャップが所定間隔以上に空いた場合において、エアギャップが所定間隔であった正常車輪の車輪速度とエアギャップが所定間隔以上であった異常車輪の車輪速度の一例を示したタイミングチャートである。
【００５５】
これら図４、図５に示されるように、正常車輪の場合、極低速度の場合には車輪速度がバタつき、正確に求められないものの、車輪速度がある程度大きくなると正常に求められる。これに対して、異常車輪の場合には、元々センサ出力が小さなものとなるため、所定の速度域に達するまでは車輪速度が求められないし、かつ、車輪速度が求められてもパルス信号の取りこぼしが発生するために、求められた車輪速度が大きくばらつく。
【００５６】
例えば、図４の例では、車輪速度が約２０ｋｍ／ｈとなるまではセンサ出力が小さいために車輪速度を求めることができず、図５の例では、車輪速度が約３０ｋｍ／ｈとなるまではセンサ出力が小さいために車輪速度を求めることができない。このように正確に車輪速度を求めることができる速度域は、車輪速度センサ１ＦＬ〜１ＲＲとセンサリングの間のエアギャップの大きさによっても異なるし、車輪速度センサ１ＦＬ〜１ＲＲの検出信号の周波数に応じた二値化の限界の相違によっても異なるため、一義的に決めることができない。
【００５７】
しかしながら、本実施形態の場合、車輪速度の変動幅がしきい値以下である場合にのみ、正しく車輪速度を検出することが可能であるとして、そのときの速度域を記憶しておき、その速度域に車輪速度が達したときに初めて路面状態判定を行うようにしている。
【００５８】
このため、統合ＥＣＵ２で正確な車輪速度演算が行える場合にのみ、正しい車輪速度に基づいて路面状態判定が行われる。したがって、統合ＥＣＵ２で路面状態が良路であるにもかかわらず悪路であると誤判定してしまうことを防止できる。これにより、車速が極低速度の場合や車輪速度センサ１ＦＬ〜１ＲＲからセンサリングまでの距離が所定間隔以上に空いた場合に、路面状態を誤判定してしまわない路面状態検出装置とすることができる。
【００５９】
（第２実施形態）
本発明の第２実施形態について説明する。本実施形態は、第１実施形態で説明した路面状態判定処理の手法を変更したものであり、車両走行制御装置の構成等に関してはすべて第１実施形態と同様であるため、異なる部分についてのみ説明する。
【００６０】
図６は、本実施形態の車両走行制御装置の統合ＥＣＵ２が実行する路面状態判定処理のフローチャートである。この図に示される路面状態判定処理は、上記第１実施形態に示した図３に示す路面状態判定処理に代えて行われる。統合ＥＣＵ２は、この路面状態判定処理を各車輪４ＦＬ〜４ＲＲそれぞれに対して順番に実行する。
【００６１】
まず、ステップ２００〜ステップ２３０では、図３と同様の処理を行う。そして、ステップ２１０において、現在求められた車輪速度がステップ２００で検出した正しく車輪速度を計算できる速度域か否かを判定したときに、否定判定されると、何も処理を行うことなくステップ２３０に進む。
【００６２】
このような路面状態判定処理が行われる場合、ステップ２１０で否定判定されると、今回の演算周期の際に悪路判定が行われないことになる。このため、前回の悪路判定の判定結果がそのまま引き継がれる。このため、ステップ２３０にて、前回の悪路判定の判定結果に応じて、ＡＢＳ制御やトラクション制御の制御形態をどのように切り替えるかを決める制御処理を実行する。
【００６３】
このように、本実施形態では、正しく車輪速度を計算できる速度域でない場合において、以前の演算周期の際に悪路判定の判定結果が得られている場合には、その判定結果がそのまま用いられるようにしている。例えば、一旦は正しく車輪速度を計算できる速度域まで車輪速度が大きくなったものの、減速して再び正しく車輪速度を計算できる速度域から外れてしまった場合には、以前の演算周期の際に得た判定結果が用いられる。
【００６４】
一般に、路面状態は急変しないため、以前の演算周期の際に悪路判定の判定結果が得られていたのであれば、それ以降もその判定結果と同様の判定結果となる可能性が高い。このため、本実施形態のように、以前の演算周期の際に得た判定結果を用いるようにすれば、正しい車輪速度を計算できる速度域から外れてしまった場合にも、ほぼ正確な路面状態判定結果に基づいて、ＡＢＳ制御やトラクション制御等の制御形態を決めることが可能になる。
【００６５】
（第３実施形態）
本発明の第３実施形態について説明する。本実施形態は、第１実施形態と第２実施形態で説明した路面状態判定処理の手法を組み合わせたものであり、車両走行制御装置の構成等に関してはすべて第１実施形態と同様であるため、異なる部分についてのみ説明する。
【００６６】
図７は、本実施形態の車両走行制御装置の統合ＥＣＵ２が実行する路面状態判定処理のフローチャートである。この図に示される路面状態判定処理は、上記第１実施形態に示した図３に示す路面状態判定処理に代えて行われる。統合ＥＣＵ２は、この路面状態判定処理を各車輪４ＦＬ〜４ＲＲそれぞれに対して順番に実行する。
【００６７】
まず、ステップ２００〜ステップ２３０では、図３と同様の処理を行う。そして、ステップ２１０において、現在求められた車輪速度がステップ２００で検出した正しく車輪速度を計算できる速度域か否かを判定したときに、否定判定されると、ステップ２５０に進む。
【００６８】
ステップ２５０では、正しく車輪速度が計算できる速度域以上に車輪速度が大きくなった履歴があるか否かを判定する。統合ＥＣＵ２のうち、この処理を実行する部分が履歴判定手段を構成する。
【００６９】
例えば、ステップ２１０において肯定判定されたときにその履歴を示すフラグがセットされるようにしておき、そのフラグを確認することで本判定を行っている。なお、このフラグは、例えばすべての車輪４ＦＬ〜４ＲＲの車輪速度がゼロになったとき、すなわち車両が停止したときにリセットされる。
【００７０】
そして、ステップ２５０で正しく車輪速度が計算できる速度域以上に車輪速度が大きくなった履歴があると判定された場合には、そのときに得られた悪路判定の判定結果を用いるべく、何も処理を行うことなくステップ２３０に進む。
【００７１】
逆に、ステップ２５０で正しく車輪速度が計算できる速度域以上に車輪速度が大きくなった履歴がないと判定された場合には、ステップ２４０に進み、図３と同様に、悪路判定禁止処理を実行する。
【００７２】
このように、正しく車輪速度を計算できる速度域以上に車輪速度が大きくなった履歴があるか否かに応じて、以前の演算周期の際に得られた悪路判定の判定結果を用いるか、悪路判定禁止処理を行うことで良路であると断定するかを決めても良い。
【００７３】
（他の実施形態）
上記実施形態では、車両走行制御装置として、ブレーキ装置３ＦＬ〜３ＲＲを備えたものを例に挙げて説明したが、トラクション制御を実行する場合には、エンジンが発生させる駆動力を調整する場合もある。このような場合にも、本発明を適用することが可能であり、駆動力調整の制御形態を悪路判定の判定結果に基づいて決めることができる。
【００７４】
上記実施形態では、求められた車輪速度の変動幅が予め設定されたしきい値以下であることが車輪速度センサ１ＦＬ〜１ＲＲの検出信号の所定パルス数分、つまり車輪４ＦＬ〜４ＲＲの所定回転数分継続した場合に、正しい車輪速度が求められるものと判定しているが、これ以外の判定条件を用いても良い。
【００７５】
例えば、車両が停止状態から発進したときに、４つの車輪４ＦＬ〜４ＲＲの各車輪速度を比較し、大きい側の２輪の車輪速度の平均値から所定値だけ小さい速度にしきい値を儲け、そのしきい値以下にあった車輪速度が上記しきい値以上に遷移したときに、正しい車輪速度が求められるものと判定しても良い。
【００７６】
また、求められた車輪速度の変動幅が予め設定されたしきい値以下であることが所定期間中継続した場合に、正しい車輪速度が求められるものと判定しても良い。
【００７７】
なお、上記各図中に示したステップは、各種処理を実行する手段に対応するものである。
【図面の簡単な説明】
【００７８】
【図１】本発明の第１実施形態における適用された路面状態判定装置が備えられる車両走行制御装置のブロック図である。
【図２】図１に示す車両走行制御装置の統合ＥＣＵ２が実行する車輪速度確定処理のフローチャートである。
【図３】図１に示す車両走行制御装置の統合ＥＣＵ２が実行する路面状態判定処理のフローチャートである。
【図４】エアギャップが所定間隔であった正常車輪の車輪速度とエアギャップが所定間隔以上であった異常車輪の車輪速度の一例を示したタイミングチャートである。
【図５】エアギャップが所定間隔であった正常車輪の車輪速度とエアギャップが所定間隔以上であった異常車輪の車輪速度の一例を示したタイミングチャートである。
【図６】本発明の第２実施形態にかかる車両走行制御装置の統合ＥＣＵ２が実行する路面状態判定処理のフローチャートである。
【図７】本発明の第３実施形態にかかる車両走行制御装置の統合ＥＣＵ２が実行する路面状態判定処理のフローチャートである。
【図８】車輪速度センサＪ１の車体に取り付けたときの様子を示した模式図である。
【符号の説明】
【００７９】
１ＦＬ〜１ＲＲ…車輪速度センサ、２…統合ＥＣＵ、
３ＦＬ〜３ＲＲ…ブレーキ装置、４ＦＬ〜４ＲＲ…車輪、
５ＦＬ〜５ＲＲ…ディスクロータ、６ＦＬ〜６ＲＲ…キャリパ。
【図１】
2007030692.tif 000003
【図２】
2007030692.tif 000004
【図３】
2007030692.tif 000005
【図４】
2007030692.tif 000006
【図５】
2007030692.tif 000007
【図６】
2007030692.tif 000008
【図７】
2007030692.tif 000009
【図８】
2007030692.tif 000010